(57)【特許請求の範囲】
【請求項１】
食品を収納するために開閉するドアを有する加熱室と、該加熱室内の前記食品を加熱する加熱源と、該加熱源の動作内容を設定するキー入力手段及び表示手段を配置した操作部と、前記ドアの開閉を検出するドア開閉検出手段と、前記キー入力手段の設定に基づいて前記加熱源の動作を制御する制御手段と、該制御手段の電源を供給する電源手段と、商用電源と前記電源手段との間に介設されて前記ドアの開成でオン動作し閉成でオフ動作するドアスイッチと、該ドアスイッチに並列接続され、前記ドアスイッチがオン動作したときオンして前記商用電源を前記電源手段に接続する電力開閉手段と、前記ドア開閉検出手段で前記ドアの開成または閉成を検出したとき、または前記キー入力手段でのキー入力があった場合にリセットして計時を開始するタイマー手段と、該タイマー手段での計時が所定時間に達したとき前記電力開閉手段をオフするオートパワーオフ手段と、を備え、
前記オートパワーオフ手段は、前記ドア開閉検出手段で前記ドアの開成中に前記タイマー手段で前記所定時間計時したときに、前記表示手段への通電を停止するとともに前記電力開閉手段をオフし、その後の前記ドア開閉検出手段で前記ドアの閉成を検出しても前記電力開閉手段をオフ動作を維持することを特徴とする調理器。
【請求項２】
前記タイマー手段は、前記加熱源の加熱動作中、計時時間がリセットされ、加熱動作中断から計時動作を開始することを特徴とする請求項１に記載の調理器。
【発明の詳細な説明】
【０００１】
【産業上の利用分野】
本発明は、所定時間使用されなければ制御手段の電源をオフする、いわゆるオートパワーオフ機能を有する調理器に関する。
【０００２】
【従来の技術】
従来、オートパワーオフ機能を有する調理器は、例えば特開平７−２１７９０６号公報に示されている。
【０００３】
このものは、食品を加熱する加熱源と、その加熱源の動作内容を設定するキー入力回路とドアの開閉を検出するドア開閉検出手段とを備えて加熱源の動作を制御する制御回路と、その制御回路の電源となる電源回路と、商用電源とその電源回路との間に介設されてドアの開成でオン動作し閉成でオフ動作するドアスイッチとで構成されている。
【０００４】
そして、前記電源回路を通じて前記制御回路に電力が供給されたことを検出した時に前記制御回路をリセットするリセット回路を前記制御回路に設けると共に、オンすることによって前記商用電源を前記電源回路に接続する電力開閉手段を前記ドアスイッチに並列に接続している。
【０００５】
さらに、前記制御回路は、ドアの開成により前記ドアスイッチがオンして前記商用電源から前記電源回路に電力が供給された時に前記リセット回路によりリセットされて所定のタイマ時間を設定すると共にその後前記ドア開閉検出手段によりドアの閉成が検出された時にその所定のタイマ時間の計時を開始し、その所定のタイマ時間の計時が行なわれている間に前記ドア開閉検出手段がドアの開成を検出しないかまたは前記キー入力回路のキー入力がない場合に前記電力開閉手段をオフさせている。
【０００６】
【発明が解決しようとする課題】
しかしながら、前記タイマー時間は、ドアの閉成がドア開閉検出手段で検出されたときに計時を開始するため、例えばドアを開放したまま忘れて放置され、その後開放に気づいて閉めたとしても、それから所定時間計時することになるので、無駄な電力を消費することになる。
【０００７】
本発明は、斯かる課題を解決するためのものである。
【０００８】
【課題を解決するための手段】
本発明の第１の調理器は、食品を収納するために開閉するドアを有する加熱室と、該加熱室内の前記食品を加熱する加熱源と、該加熱源の動作内容を設定するキー入力手段及び表示手段を配置した操作部と、前記ドアの開閉を検出するドア開閉検出手段と、前記キー入力手段の設定に基づいて前記加熱源の動作を制御する制御手段と、該制御手段の電源を供給する電源手段と、商用電源と前記電源手段との間に介設されて前記ドアの開成でオン動作し閉成でオフ動作するドアスイッチと、該ドアスイッチに並列接続され、前記ドアスイッチがオン動作したときオンして前記商用電源を前記電源手段に接続する電力開閉手段と、前記ドア開閉検出手段で前記ドアの開成または閉成を検出したとき、または前記キー入力手段でのキー入力があった場合にリセットして計時を開始するタイマー手段と、該タイマー手段での計時が所定時間に達したとき前記電力開閉手段をオフするオートパワーオフ手段と、を備え、前記オートパワーオフ手段は、前記ドア開閉検出手段で前記ドアの開成中に前記タイマー手段で前記所定時間計時したときに、前記表示手段への通電を停止するとともに前記電力開閉手段をオフし、その後の前記ドア開閉検出手段で前記ドアの閉成を検出しても前記電力開閉手段をオフ動作を維持することを特徴とする構成である。
【０００９】
また、前記タイマー手段は、前記加熱源の加熱動作中、計時時間がリセットされ、加熱動作中断から計時動作を開始することを特徴とする構成である。
【００１０】
【発明の実施の形態】
図1において、１は本発明の一実施例となるオーブンレンジ本体、２はオーブンレンジ本体1に内設する食品を収納するための加熱室、３は該加熱室２の前面開口を開閉するドア、４は加熱室２に収納した食品の加熱設定するキー入力手段５及び表示手段６が配置された操作部である。
【００１１】
図２において、７は商用電源、８はドア３の開成時に開接点と接続し、またドア３の閉成時に閉接点と接続するドアスイッチ、９は該ドアスイッチ９が閉接点と接続しているときは開成し、またドアスイッチ９が開接点と接続しているときは閉成するモニタースイッチ、１０は電流ヒューズである。前記モニタースイッチ９は、ドアスイッチ８がドア３の開成時に閉接点から離れず、溶着故障が発生した時に短絡回路を形成して電流ヒューズ１０を溶断させるためのものである。
【００１２】
１１は加熱室天井部や加熱室底面に設けられた加熱源となるオーブンヒータ、１２はマグネトロンなどで構成された別の加熱源となる高周波発生源、１３はその高周波発生源１０を冷却するファンモータである。
【００１３】
１４、１５、１６は後述の制御手段にオンオフ制御されてオーブンヒータ１１や高周波発生源１２及びファンモータ１３を商用電源へ接続するリレー、１７はドア３の開閉に連動し、ドア開でオンし、ドア閉でオフするドア開閉検出手段、１８はドアスイッチ３の開接点に並列に接続された電力開閉手段をなすリレーで、後述制御手段によってオンオフ制御されるものである。
【００１４】
１９はマイクロコンピュータを含んで構成された制御手段である。該制御回路１９は、前記リレー１４、１５、１６を駆動制御するリレー駆動手段２０と、電力開閉手段１８をオンオフ駆動するオートパワーオフ手段２１と、時間を計時するタイマー２２を有している。
【００１５】
２３はドアスイッチ８または電力開閉手段１８を介して商用電源と接続し、制御手段１９に電力を供給する電源手段、２４は電源手段２３が商用電源と接続して直流電圧が立ち上がったときを捉えて制御手段１９にリセット信号を出力し制御手段１９を初期化するリセット手段である。
【００１６】
斯かる構成の動作を図３に基づいて説明する。
【００１７】
まず、オートパワーオフ後の状態、即ちドアスイッチ８が閉接点に接続し、電力開閉手段１８が開成している状態で、使用者がオーブンレンジを使用すべくドア３を開成したとき、ドアスイッチ８は開接点に接続が切り替わり、商用電源７から電源手段２３に電力が供給され、制御手段１９に電力が供給される。この電源手段２３からの電圧の立ち上がりを捉えて、リセット手段２４が制御手段１９にリセット信号を与える。
【００１８】
このリセット信号を受けて制御手段１９はステップＳ１でレジスタや動作のリセットを行う。ステップＳ２では制御手段１９が表示手段６に通電を開始し点灯するとともにオートパワーオフ手段２１より電力開閉手段１８を閉成する。ステップＳ３ではタイマー２２にカウント時間をセットする。本実施例ではカウント時間は５分である。なお、このカウント時間は、食品の加熱後、マグネトロンがファンモータの駆動によって十分冷却できる時間であれば良く、このカウント時間に限定されるものでない。
【００１９】
ステップＳ４ではステップＳ３でセットしたタイマー２２の計時動作、即ち減算動作を開始する。ステップＳ５ではタイマー２２のカウント時間が０となったかどうか判定する。該ステップではカウント時間が０でなければステップＳ６へ移行し、またカウント時間が０であればステップＳ１５へ移行する。
【００２０】
通常の使用状態では、タイマー２２のカウント時間は０でないので、通常ステップＳ６に移行する。ステップＳ６では、キー入力手段５を使用者が操作したかどうか判断する。キー入力操作があったと判断すると、ステップＳ７へ移行し、タイマー２２のカウント値をリセットする。
【００２１】
ステップＳ６でキー入力操作されていないと判定またはステップＳ７の実行後、ステップＳ８に移行する。ステップＳ８ではキー入力操作が調理開始キーを操作したかどうか判定する。該ステップで調理開始キーが操作されればステップＳ９へ移行し、また調理開始キー以外が操作されればステップＳ４へ戻し、タイマー２２の計時動作を開始する。
【００２２】
調理開始キーが操作された場合、まずステップＳ９では制御手段１９がリレー駆動手段２０によりリレー１４または１５を駆動制御して加熱源（オーブンヒータ１１または高周波発生源１２）を動作させる。このとき加熱室２内に収納した食品を所望の加熱出力で加熱するのである。
【００２３】
まずステップＳ１０では加熱動作中にドア３が開成をドア開閉検出手段１７で検出したかどうか判定する。またステップＳ１１ではキー入力手段５から加熱中断のために停止キーが操作されたかどうか判定する。いずれのステップにおいても肯定の判定がなされたときステップＳ１２に移行し、制御手段１９がリレー駆動手段２０によりリレー１４または１５を開放して加熱源の動作を中断する。その後、ステップＳ７に移行させ、タイマー２２の計時動作を開始させる。
【００２４】
さらにステップＳ１３では、ステップＳ９での加熱動作が終了したかどうか判定する。即ち、加熱時間が経過したり所定温度に食品温度が到達したなどの終了タイミングを判定するのである。該ステップで終了したと判定すれば、ステップＳ１４で制御手段１９は動作設定などをリセットするとともに図示しない報知手段で終了した旨使用者に報知する。その後、ステップＳ７に戻してタイマー２２の計時動作を開始するのである。
【００２５】
以上の説明をまとめると、調理を開始するまではステップＳ４乃至ステップＳ８を繰り開始実行して使用者が使用しない状態を検出し、タイマー２２を計時動作させ、また調理動作中はステップＳ９乃至ステップＳ１３を繰り返して加熱動作を実行するのである。
【００２６】
ところで、前述のステップＳ４乃至ステップＳ８のタイマー２２の計時動作でセットされたカウント時間をカウントし終えたとき、この状態をステップＳ５で判定し、ステップＳ１５に移行する。
【００２７】
ステップＳ１５では、タイマー２２からの信号でオートパワーオフ手段２１が表示手段６への通電を停止して消灯するとともに電力開閉手段１８を開放させる。そして、ドア３が開成されていればステップＳ１６でドア３が閉成されるまで待機する。このときは、電力開閉手段１８が開成されているが、ドアスイッチ８が開接点に接続されているため、電源手段２３に継続して電源が供給されている。
【００２８】
前記ステップＳ１６でドア３が閉成されたと判定したとき、商用電源７から電源手段２３への電力供給は停止されるが、制御手段１９への電力は、電源手段２３の容量の関係により１秒未満の間動作できる程度、電源手段２３から電力が供給される。この間に、ドアスイッチ８がチャタリングなどの原因によりドア３が開成されたと誤認識させないために、ステップＳ１７で制御手段１９の初期化動作を禁止するとともに、ステップＳ１８で電力開閉手段１８の開放動作を維持させる。その後、電源手段２３から制御手段１９への電力供給もなくなり、制御手段１９の動作が停止され、電源オフ状態となる。以後、使用者がドア３を開成する毎に、ステップＳ１から動作を繰り返し実行するのである。
【００２９】
前述の実施例では、タイマー２２の計時動作は、ドア３の開閉に関係なく継続動作されているが、ドア３の開閉動作によりタイマー２２の計時動作をリセットすることも考えられる。他の実施例として図４に基づいて説明する。
【００３０】
まずステップＳ２０乃至ステップＳ２４は、図３のステップＳ１乃至ステップＳ５と同じなので説明を省略する。
【００３１】
ステップＳ２５では、タイマー２２の計時動作中、キー入力手段５を使用者が操作したかどうか判定する。またステップＳ２６ではドア開閉検出手段１７でドア３の開成を検出したかどうか判定する。さらにステップＳ２７ではドア開閉検出手段１７でドア３の閉成を検出したかどうか判定する。いずれかのステップにおいて肯定の判定がなされたとき、ステップＳ２８に移行して、タイマー２２のカウント時間をリセットする。
【００３２】
ステップＳ２５乃至ステップＳ２７でいずれも否定判定であるかまたはステップＳ２８の実行後、ステップＳ２９に移行する。ステップＳ２９ではキー入力操作が調理開始キーを操作したかどうか判定する。該ステップで調理開始キーを操作したと判定すればステップＳ３０へ移行し、また調理開始キー以外が操作したと判定すればステップＳ２３へ戻し、タイマー２２の計時動作を開始する。
【００３３】
調理開始キーが操作された場合、まずステップＳ３０では制御手段１９がリレー駆動手段２０によりリレー１４または１５を駆動制御して加熱源（オーブンヒータ１１または高周波発生源１２）を動作させる。このとき加熱室２内に収納した食品を所望の加熱出力で加熱するのである。
【００３４】
ステップＳ３１では加熱動作中にドア３が開成をドア開閉検出手段１７で検出したかどうか判定する。またステップＳ３２ではキー入力手段５から加熱中断のために停止キーが操作されたかどうか判定する。いずれのステップにおいても肯定の判定がなされたときステップＳ３３に移行し、制御手段１９がリレー駆動手段２０によりリレー１４または１５を開放して加熱源の動作を中断する。その後、ステップＳ７に移行させ、タイマー２２の計時動作を開始させる。
【００３５】
またステップＳ３４では、ステップＳ３０での加熱動作が終了したかどうか判定する。即ち、加熱時間が経過した、または所定温度に食品温度が到達したなどの終了タイミングを判定するのである。該ステップで終了したと判定すれば、ステップＳ３５で制御手段１９はレジスタなどをリセットするとともに終了した旨使用者に報知する。その後、ステップＳ２３に戻してタイマー２２の計時動作を開始するのである。
【００３６】
以上の説明をまとめると、調理を開始するまではステップＳ２３乃至ステップＳ２９を繰り開始実行して、タイマー２２を計時動作させ、使用者が使用しない状態を検出し、また調理動作中はステップＳ３０乃至ステップＳ３４を繰り返して加熱動作を実行するのである。
【００３７】
前述のステップＳ２３乃至ステップＳ２９のタイマー２２の計時動作でセットされたカウント時間をカウントし終えたとき、この状態をステップＳ２４で判定し、ステップＳ３６に移行する。
【００３８】
ステップＳ３６以降のステップは、オートパワーオフ機能の動作を示しているが、図３のステップＳ１５乃至ステップＳ１８と同じ動作であるため、説明を省略する。
【００３９】
以上のごとく、使用者がドアを開放したまま放置しても、ドア閉成時からオートパワーオフ機能を実行させ、無駄な時間を少なくすることができるものである。
【００４０】
なお、前述の実施例ではオーブンレンジを説明したが、本発明はこれに限らず、ドアを有して加熱調理できる調理器であれば、全てに適応可能である。
【００４１】
【発明の効果】
以上本発明によれば、調理器として使用されていないときに制御回路への通電が行なわれないようにして無駄な電力消費を抑制することができる。
【図面の簡単な説明】
【図１】  本発明一実施例のオーブンレンジの外観図である。
【図２】  図1のオーブンレンジの制御ブロック図である。
【図３】  動作フローチャートを示す図である。
【図４】  他の実施例の動作フローチャートを示す図である。
【符号の説明】
２  ドア
８  ドアスイッチ
１２  高周波加熱源
１７  ドア開閉検出手段
１８  電力開閉手段
１９  制御手段
２１  オートパワーオフ手段
２３  電源手段
【図１】
0003668103.tif 000002
【図２】
0003668103.tif 000003
【図３】
0003668103.tif 000004
【図４】
0003668103.tif 000005